(57)【要約】【課題】ペットが飲水しやすく、ペット用の柵に容易でかつ確実に着脱でき、給水容器の交換が容易なペット用給水器の提供を目的とする。【解決手段】愛玩動物が飲水するための受水皿と、前記受水皿を保持するための保持具と、前記受水皿に水を補給するための給水容器を着脱自在に支持するための支持具と、前記保持具と支持具でペット用柵を挟持するように固定するための固定手段を備えたことを特徴とする。【選択図】  図１
2014045717.tif 000002
【特許請求の範囲】
【請求項１】
愛玩動物が飲水するための受水皿と、
前記受水皿を保持するための保持具と、
前記受水皿に水を補給するための給水容器を着脱自在に支持するための支持具と、
前記保持具と支持具でペット用柵を挟持するように固定するための固定手段を備えたことを特徴とするペット用給水器。
【請求項２】
前記保持具は保持固定部を有し、前記支持具は支持固定部を有し、
前記固定手段は保持固定部と支持固定部とでペット用柵の側部を挟持でき且つ、当該ペット用柵に固定できるものであることを特徴とする請求項１記載のペット用給水器。
【請求項３】
前記保持固定部と支持固定部のうち、一方に固定孔を他方に固定ねじ部をそれぞれ有し、
前記固定手段は摘み部と締結ねじ部を有する固定具であって、
前記保持固定部と支持固定部とでペット用柵の側部を両側から挟み込むようにして前記固定具の締結ねじ部を前記一方の固定孔を介して他方の固定ねじ部に固定することを特徴とする請求項２記載のペット用給水器。
【請求項４】
前記受水皿は、ペット用柵で仕切った一方の区域側に位置する飲水部と、当該飲水部から他方の区域側に延在させた受水部を有し、
給水容器の口部には連結可能な弁装置を有し、
前記弁装置は、弁機構を内側に有する通水部と、係止部とを有し、
前記支持具は、前記通水部を装着する装着部と、前記係止部と着脱自在に係止する被係止部を有することを特徴とする請求項１〜３のいずれかに記載のペット用給水器。
【請求項５】
前記弁機構は通水部の内側に、弁体を有する弁棒が前記受水部に向けて付勢支持されていて、
前記支持具は弁装置の通水部を上方から挿入装着する装着部を有し、
給水容器の口部に弁装置を連結し、当該弁装置の通水部を前記支持具の装着部に装着すると、弁体が、前記受水皿の受水部により弁棒が押し込まれることで開くことを特徴とする請求項４記載のペット用給水器。
【請求項６】
前記弁装置の係止部は、湾曲部を有する係止爪であり、
前記支持具の被係止部は、前記係止爪を上方から挿入するための挿入孔を有し、
前記係止爪を前記挿入孔に挿入すると、係止爪に設けた係止段差部または係止突部が挿入孔の下端部に係止することを特徴とする請求項５記載のペット用給水器。
【請求項７】
前記弁装置は、通水部の外側に挿入規制部を有し、
前記支持具は、装着部の内側にストッパー部を有し、
弁装置の通水部を支持具の装着部に装着し、係止部が支持具の被係止部に係止すると前記規制部がストッパー部に当接することを特徴とする請求項６記載のペット用給水器。
【請求項８】
前記弁装置は、通水部の先端から頭部が突出した弁棒を有し、
前記受水皿の受水部は、前後方向に細長で幅が前記弁棒の頭部の大きさより小さい頂部を備えた押込部を有することを特徴とする請求項４〜７のいずれかに記載のペット用給水器。
【請求項９】
前記受水皿は、受水部の側壁に補強リブを有し、
前記保持具は、前記受水部を底面から保持する保持片と前記補強リブを保持する保持溝を有することを特徴とする請求項４〜８のいずれかに記載のペット用給水器。
【請求項１０】
前記保持具と支持具は一方に位置決め突部と、他方に当該位置決め突部が嵌挿する位置決め孔を有することを特徴とする請求項１〜９のいずれかに記載のペット用給水器。
【請求項１１】
前記弁装置の通水部は先端寄りに支持リブを有し、
前記受水皿の受水部は内側に、前記支持リブを支持する支持受け部を有することを特徴とする請求項５〜１０のいずれかに記載のペット用給水器。
【請求項１２】
前記保持固定部と支持固定部との一方または両方に、ペット用柵を形成する線材を挟み込むための凹凸部と、当該ペット用給水器を使用しないときに当該凹凸部を保護するための保護突部を設けたことを特徴とする請求項２〜１１のいずれかに記載のペット用給水器。
【請求項１３】
前記受水皿の飲水部はつば部を有し、
前記保持具は前記つば部を差し込む差込凹部を有することを特徴とする請求項４〜１２のいずれかに記載のペット用給水器。
【発明の詳細な説明】
【技術分野】
【０００１】
本発明はペットケージ，ペットサークル，ペットゲート等と称されるペット用の柵に取り付け、ペットに飲水を供給するための給水器に関する。  
【背景技術】
【０００２】
ペットのケージの内側に飲水の受水皿を有し、ケージの外側に給水容器を備えたものとしては特許文献１が公知である。
しかし、同公報に開示する給水器はケージに受水皿や給水容器を取り付ける作業が大変であり、しかも給水容器の着脱が容易ではない。
本出願人は先に給水容器が着脱自在に装着される給水具をバックル機構によりワンタッチで容易でかつ確実に固定具に着脱できるペット用給水器を提案している（特許文献２）。
本発明はこのペット用給水器をさらに改善したものである。
【先行技術文献】
【特許文献】
【０００３】
【特許文献１】実開昭６３−１３８０５５号公報
【特許文献２】特開２００４−２１５６１３号公報
【発明の概要】
【発明が解決しようとする課題】
【０００４】
本発明はペットが飲水しやすく、ペット用の柵に容易でかつ確実に着脱でき、給水容器の交換が容易なペット用給水器の提供を目的とする。
【課題を解決するための手段】
【０００５】
本発明にかかるペット用給水器は、愛玩動物が飲水するための受水皿と、前記受水皿を保持するための保持具と、前記受水皿に水を補給するための給水容器を着脱自在に支持するための支持具と、前記保持具と支持具でペット用柵を挟持するように固定するための固定手段を備えたことを特徴とする。
ここでペット用柵と表現したのは、ペットを飼うのに用いる柵であればケージ，サークル，ゲート等を問わない趣旨である。
この場合に保持具は保持固定部を有し、前記支持具は支持固定部を有し、前記固定手段は保持固定部と支持固定部とでペット用柵の側部を挟持でき且つ、当該ペット用柵に固定できるものであるのが好ましい。
ここで固定手段に制限はなく、ねじ構造，係止構造，くさび構造等が例として挙げられる。
また、保持固定部と支持固定部のうち、一方に固定孔を他方に固定ねじ部をそれぞれ有し、固定手段は摘み部と締結ねじ部を有する固定具であって、前記保持固定部と支持固定部とでペット用柵の側部を両側から挟み込むようにして固定具の締結ねじ部を前記一方の固定孔を介して他方の固定ねじ部に固定できるようにしてもよい。
ここで、固定ねじ部は雌ねじでも雄ねじでもよい。
例えば、保持具の保持固定部に固定孔を設け、支持具の支持固定部に雌ねじを設けた場合には、固定具の締結ねじ部はボルト状の雄ねじにし、固定具の雄ねじ部を保持具の固定孔に挿通し、支持具側の雌ねじ部に螺着することになる。
これとは逆に、固定具の締結ねじ部をナット状の雌ねじにした場合には、支持具側の固定ねじ部をボルト状の雄ねじにすればよい。
【０００６】
本発明において、受水皿は、ペット用柵で仕切った一方の区域側に位置する飲水部と、当該飲水部から他方の区域側に延在させた受水部を有し、給水容器の口部には連結可能な弁装置を有し、前記弁装置は、弁機構を内側に有する通水部と、係止部とを有し、前記支持具は、前記通水部を装着する装着部と、前記係止部と着脱自在に係止する被係止部を有するようにしてもよい。
弁装置の弁機構及び装着方法に制限はないが、弁機構は通水部の内側に、弁体を有する弁棒が受水部に向けて付勢支持されていて、支持具は弁装置の通水部を上方から挿入装着する装着部を有し、給水容器の口部に弁装置を連結し、当該弁装置の通水部を前記支持具の装着部に装着すると、弁体が、前記受水皿の受水部により弁棒が押し込まれることで開くようにしてもよい。
このようにすると、ペットボトルのような容器の口部に弁装置を取り付け、逆さにしても水が漏れないので、給水器への取り付け交換が容易である。
【０００７】
ここで、弁装置の係止部は、湾曲部を有する係止爪であり、支持具の被係止部は係止爪を上方から挿入するための挿入孔を有し、係止爪を前記挿入孔に挿入すると、係止爪に設けた係止段差部または係止突部が挿入孔の下端部に係止するようにすると、給水容器の脱着交換が容易であるとともに、湾曲部が弾性変形するので、係止爪の破損を防止する。
また、弁装置は、通水部の外側に挿入規制部を有し、支持具は、装着部の内側にストッパー部を有し、弁装置の通水部を支持具の装着部に装着し、係止部が支持具の被係止部に係止すると前記規制部がストッパー部に当接するようにするとさらに係止爪が保護される。
【０００８】
本発明において、弁装置は、通水部の先端から頭部が突出した弁棒を有し、受水皿の受水部は、前後方向に細長で幅が前記弁棒の頭部の大きさより小さい頂部を備えた押込部を有するようにしてもよい。
このようにすると、給水容器を給水器に装着した際に、押込部の幅が弁棒の頭部より小さいので、その間から水が流れやすく、また、押込部が前後方向に細長になっているので、柵の厚みや線材の太さにより、弁棒の位置が前後にばらついてもそのバラツキを吸収できる。
【０００９】
本発明において、受水皿は、受水部の側壁に補強リブを有し、前記保持具は、前記受水部を底面から保持する保持片と前記補強リブを保持する保持溝を有するようにしてもよい。
このようにすると、受水皿を保持具に保持させる際に、安定して確実に保持できる。
また、保持具と支持具は一方に位置決め突部と、他方に当該位置決め突部が嵌挿する位置決め孔を有するようにすると、給水器を柵に取り付ける際に位置決めしやすい。
さらには、受水皿の飲水部はつば部を有し、保持具は前記つば部を差し込む差込凹部を有するようにすると、受水皿の保持が強固になり、安定する。
【００１０】
本発明において、弁装置の通水部は先端寄りに支持リブを有し、受水皿の受水部は内側に、前記支持リブを支持する支持受け部を有するようにしてもよい。
このようにすると、弁装置の弁機構を保護することができる。
【００１１】
本発明において保持固定部と支持固定部との一方または両方に、柵を形成する線材を挟み込むための凹凸部と、当該ペット用給水器を使用しないときに当該凹凸部を保護するための保護突部を設けてもよい。
【発明の効果】
【００１２】
本発明に係るペット用給水器にあっては、保持具に受水皿を保持させ、受水皿の飲水部を柵の一方になるように、受水部を柵の他方に向けて配置し、保持具と給水容器の支持具とで柵等を挟み込むようにし、固定手段でこの保持具と支持具を柵に固定するだけで、柵に給水器を確実に、且つ、容易に取り付けることができる。
また、ペットボトル等の給水容器の着脱交換が容易である。
【図面の簡単な説明】
【００１３】
【図１】本発明に係る給水器をペット用柵に取り付けた状態を示す。
【図２】給水器を柵に取り付ける手順を示し、（ａ）は、取付前、（ｂ）は取付後を示す。
【図３】給水器に給水容器を取り付けた状態を示す。
【図４】柵に給水器を取り付ける手順の平面図を示す。
【図５】給水器を柵に取り付ける際の断面図を示す。
【図６】給水支持部及び、弁装置の要部拡大図を示す。
【図７】給水器を柵に取り付けた状態の一方から見た正面図を示す。
【図８】給水器を柵に取り付けた状態を他方から見た図を示す。
【図９】給水器を柵に取り付けた状態の底面図を示す。
【図１０】保持具に受水皿を保持させ、柵の一方に配置した状態を示す。
【図１１】（ａ）は、保持具の保持固定部の構造例を示し、（ｂ）は受水皿の受水部を保持した状態の断面図を示す。
【図１２】（ａ）は弁装置の外観斜視図を示し、（ｂ）は受水部と通水部先端との位置関係を示す。
【図１３】保持具と支持具の位置関係を示す。
【図１４】支持具の斜視図を示す。
【図１５】飲水部の断面図を示す。
【図１６】給水器の他の実施例を示す。
【図１７】他の実施例の断面図を示す。
【発明を実施するための形態】
【００１４】
以下、図面に基づいて本発明に係るペット用給水器の構造例を説明するが、本発明はこれに限定されない。
図１に線材を用いたペット用の柵１に本発明に係るペット用給水器（以下、単に給水器と称する。）を取り付けた状態を示す。
なお、図では、ペットボトル等の給水容器６０の全体を２点鎖線で示し、口部付近のみを実線で表してある。
給水器は図４、５に示すように、愛玩動物が飲水するための飲水部１１と、給水容器６０から水の補給を受けるための受水部１２を有する受水皿１０と、この受水皿１０を保持するための保持具２０と、給水容器６０を着脱自在に支持するための支持具３０を有する。
受水皿１０は飲水部１１を柵で仕切った一方の区域に配置し、柵の間を通すようにして受水部１２を他方の区域側に突出するようになっている。
保持具２０は図１０に示すように基部２２の表面に凹凸部２３ａを形成した保持固定部２３を有し、支持具３０は図１４に示すように基部表面に凹凸部３１ｂを形成した支持固定部３１を有する。
本実施例では、保持具の保持固定部に２３に、固定孔２５を形成し、支持具３０の支持固定部３１側に雌ねじからなる螺着部３１ａを形成し、保持固定部２３と支持固定部３１とで柵を両側から挟み込むようにして固定具４０の締結ねじ部４２を固定孔２５を介して螺着部３１ａに締結する例になっている。
固定孔と螺着部の組み合わせはこの逆でもよく、螺着部が雄ねじ状に突出し、固定具の締結ねじ部がナット状になっていてもよい。
固定具４０には、締め付け作業が容易になるように摘み部４１を有する。
また、保持具は図１３に示すように、位置決め突部２６を有し、支持具３０は、この位置決め突部２６が嵌挿する位置決め孔３１ｃを有し、給水器を柵に取り付ける際に位置決めしやすくなっている。
さらには、図１１（ａ）及び図１４に示すように保持固定部２３と支持固定部３１との両方に、柵を形成する線材を挟み込むための凹凸部２３ａ，３１ｂを設けると供に、給水器を使用しないときに当該凹凸部を保護するための保護突部２４を保持固定部側に設けた例になっている。
【００１５】
給水容器６０の口部６１には弁装置５０が連結可能になっている。
弁装置５０は、図５に示すように給水容器６０の口部６１に有するねじ部６１ａに螺着するめねじ部５１ａを形成した連結部５１と、これに連通した略円筒状の通水部５４を有する。
連結部５１の構造はペットボトル等の口部に連結できるものであれば構造に限定がない。
通水部５４の下部側の内部に弁機構を有する。
弁機構は、弁棒５５の頭部５５ｂが通水部５４の先端開口部５４ａから突出するように配置され、スプリング５５ａにて突出方向に付勢されている。
弁棒５５の上部には弁体５６が取り付けられ、通水部５４側の弁座５８に当接シールするようになっている。
弁棒５５は、図６及び図１２（ｂ）に示すように保持されている。
スライド孔５７ｂを設けたスライド支持部５７を支持部連結壁５７ａで通水部５４の内側に設けることで、この円筒状のスライド支持部５７と通水部５４の内壁と支持部連結壁５７ａの間に通水部５７ｃを確保しつつ、このスライド孔５７ｂに弁棒５５をスライド自在に保持してある。
弁装置５０は、通水部５４の外側に、係止部５３を有する。
この係止部５３は、水平方向に延在させた爪支持部５２から下側に垂下させた爪状になっていて、湾曲部５３ａを介してその先に脱着操作部５３ｃを有する。
この湾曲部５３ａと脱着操作部５３ｃのつなぎ部に係止段差部５３ｂを形成してある。
一方、この弁装置を支持する支持具３０は、図５に示すように通水部５４を挿入装着する装着部３２と、弁装置側の係止部５３と着脱自在に係止する被係止部３３を有する。
被係止部３３は、爪状の係止部５３を挿入するための下端側が開口した挿入孔３３ａを有し、弁装置の通水部５４を支持具３０の装着部３２に挿入すると、図６に示すように弁棒の頭部５５ｂが受水部１２の開口部１２ｂに入り込み、係止部５３の操作部５３ｃが内側に弾性変形しながらこの挿入孔３３ａを通過し、係止段差部５３ｂが挿入孔下端部３３ｂに係止するように弾性復帰する。
本実施例では、通水部５４の外側に挿入規制部５９を設け、支持具３０は装着部３２の内側にストッパー部３４を設けることで、弁装置の通水部５４を支持具の装着部３２に装着し、係止部５３が支持具の被係止部３３に係止すると規制部５９がストッパー部３４に当接し係止部５３が保護される。
また、弁棒５５の頭部５５ｂは受水皿１０の受水部１２の底部に当接し、スプリング５５ａに対抗しながら押し込まれ、弁が開いた状態になる。
本実施例では、受水皿の受水部１２は、前後方向に細長で幅が弁棒の頭部５５ｂの大きさより小さい頂部１２ｃを備えたリブ状の押込部１２ａになっている。
このようにすると、給水容器６０を給水器に装着した際に、押込部１２ａの幅が弁棒の頭部５５ｂより小さいので、その間から水が流れやすく、また、押込部１２ａが前後方向に細長になっているので、柵の厚みや線材の太さにより、弁棒の位置が前後にばらついてもそのバラツキを吸収できる。
図５（ｂ）に示すように通水部の下部付近に通気口５４ｂを形成し、水２の量が少なくなると空気が入り、給水容器から水が補給される。
また、図１２に示すように、弁装置の通水部５４は先端寄りに支持リブ５９ａを有し、受水皿の受水部１２は内側に、この支持リブ５９ａを支持する支持受け部１２ｄを有し、弁装置の弁機構が保護されている。
図１５に示すように、受水皿１０は、受水部１２の側壁に補強リブ１３を有し、保持具２０は、受水部１２を底面から保持する保持片２１と補強リブ１３を保持する保持溝２１ａを有する。
また、受水皿の飲水部１１につば部１１ａを有し、保持具２０にはつば部１１ａを差し込む差込凹部２２ａ有し、受水皿１０の保持が強固になり、安定するようになっている。
【００１６】
先の実施例は給水容器の口部に連結した弁装置を上から支持具に装着するタイプであったが、図１６，１７に給水容器を横から装着する例を示す。
受水皿１１０は飲水部１１１とこの飲水部から断Ｕ字形状の受水部１１２を延在させてある。
この受水部１１２を保持具１２０の保持孔１２２に挿入保持する。
給水容器６０の口部に連結した弁装置１５０は、支持具１３０に設けた弾性材からなる装着部１３１に横方向から装着するための取付部１５１を有する。
この取り付け状態を図１６に示す。
本実施例では飲水部１１１の底部に位置決め突部１１１ａを形成し、この位置決め突部１１１ａを保持具１２０の保持片１２１に設けた位置決め孔１２１ａに嵌着する例になっている。
保持片１２１の先端部は下側に傾斜させた傾斜片１２１ｂを設けることで、受水皿１１０を保持片１２１の弾性力にて保持する際に保持具１２０に取り付けやすくなっている。
本実施例は弁装置の弁棒を押入部１１２ａに押圧しながら固定具１４０を用いて支持具１３０のめねじ部１３２を介して保持具１２０とを締結するように柵に取り付ける。
【符号の説明】
【００１７】
１        柵
１０      受水皿
２０      保持具
３０      支持具
４０      固定具
５０      弁装置
６０      給水容器
【図１】
2014045717.tif 000003
【図２】
2014045717.tif 000004
【図３】
2014045717.tif 000005
【図４】
2014045717.tif 000006
【図５】
2014045717.tif 000007
【図６】
2014045717.tif 000008
【図７】
2014045717.tif 000009
【図８】
2014045717.tif 000010
【図９】
2014045717.tif 000011
【図１０】
2014045717.tif 000012
【図１１】
2014045717.tif 000013
【図１２】
2014045717.tif 000014
【図１３】
2014045717.tif 000015
【図１４】
2014045717.tif 000016
【図１５】
2014045717.tif 000017
【図１６】
2014045717.tif 000018
【図１７】
2014045717.tif 000019